(57)【要約】【課題】利用者に煩雑な操作を行わせることなく、かつ複数の接触式磁気カードを持ち歩かせることなく、特定の利用者に、特定の利用許可階を選択可能にする。【解決手段】  各乗り場呼び登録装置４に設けられた指紋認識部１０、乗りかご内呼び登録装置６に設けられた指紋認識部１３によって、利用者の指紋データを取り込み、認証制御装置７によって、予め登録されている利用者の指紋データと一致しているかどうかをチェックし、一致しているとき、この利用者に許可されている各目的階を選択可能にしてエレベータの利用を許可し、また予め登録された利用者以外であるとき、一般的な利用者に許可されている各階を選択可能にして、エレベータの利用を許可する。【選択図】図１
2006016124.tif 000002
【特許請求の範囲】
【請求項１】
各乗り場、または乗りかご内の少なくともいずれかに設けられ、各利用者の特徴を示す情報を取り込んで、認証データを生成する認識部と、
この認識部から出力される認証データと予め登録されている各利用者の認証データとを照合して、前記認証データに対応する利用者が予め登録されている利用者の一人であるとき、前記乗りかごの利用を許可する呼び登録可否判定部と、
この呼び登録可否判定部によって、前記乗りかごの利用許可が出されているとき、呼び釦の操作内容に応じた呼び登録を行う呼び登録釦制御部と、
を備えたことを特徴とするエレベータシステム。
【請求項２】
請求項１に記載のエレベータシステムにおける利用者認証装置において、
前記呼び登録釦制御部は、前記呼び登録可否判定部によって、前記乗りかごの利用許可が出されたときから、一定時間が経過するまでの間に、呼び登録が行われないとき、前記利用者の利用許可をキャンセルすることを特徴とするエレベータシステム。
【請求項３】
請求項１、２のいずれかに記載のエレベータシステムにおいて、
前記呼び登録釦制御部は、呼び登録可能な期間中、利用可能な階に対応する各呼び釦を点滅することを特徴とするエレベータシステム。
【請求項４】
請求項１乃至３のいずれか１項に記載のエレベータシステムにおいて、
前記認識部は、非接触式のＩＣカードを用いた認証方式、あるいは人体の特徴を用いたバイオメトリックス認証方式を用いて、各利用者の特徴を示す情報を取り込んで、認証データを生成することを特徴とするエレベータシステム。
【請求項５】
請求項１乃至４のいずれか１項に記載のエレベータシステムにおいて、
前記呼び登録釦制御部は、呼び登録可能な期間中、前記各呼び釦の点滅周期を順次、短くすることを特徴とするエレベータシステム。
【発明の詳細な説明】
【技術分野】
【０００１】
本発明は、建物などに設置されるエレベータシステムに係わり、特に利用者を認識して、呼び登録処理を行うエレベータシステムに関する。
【背景技術】
【０００２】
建物などに設置されるエレベータシステムの１つとして、エレベータの乗りかご内、または乗り場に設置した呼び登録装置上のテンキーが操作されて、特定の利用階に対する利用階コードが入力されたとき、あるいは予め特定の利用階に対する利用階コードが記録された接触式磁気カードが呼び登録装置に挿通されたとき、利用階コードに対応する呼び登録を許可するようにしたシステムが開発されている。
【特許文献１】特開２００２−３２４２１８号公報
【特許文献２】特開２００４−７５３６１号公報
【発明の開示】
【発明が解決しようとする課題】
【０００３】
ところで、このようなエレベータシステムのうち、テンキーによって、利用階コードを入力するエレベータシステムでは、利用者が利用階コードを忘れたとき、目的階に行くことができなくなってしまうという問題があった。
【０００４】
また、接触式磁気カードを用いて、利用階コードを入力するエレベータシステムでは、利用階の数だけ、接触式磁気カードを持ち歩かなければならないことから、接触式磁気カードの管理が煩雑になってしまうという問題があった。
【０００５】
本発明は上記の事情に鑑み、請求項１では、利用者に煩雑な操作を行わせることなく、かつ複数の接触式磁気カードを持ち歩かせることなく、予め登録されている利用者にのみエレベータの利用を許可することができ、エレベータの利便性を飛躍的に向上させることができるエレベータシステムを提供することを目的としている。
【０００６】
また、請求項２では、利用者に煩雑な操作を行わせることなく、かつ複数の接触式磁気カードを持ち歩かせることなく、利用者以外の者による、エレベータの不正利用を防止しながら、予め登録されている利用者にのみエレベータの利用を許可することができ、エレベータの利便性を飛躍的に向上させることができるエレベータシステムを提供することを目的としている。
【０００７】
また、請求項３では、利用者に煩雑な操作を行わせることなく、かつ複数の接触式磁気カードを持ち歩かせることなく、予め登録されている利用者に利用可能階を知らせながら、この利用者にのみエレベータの利用を許可することができ、エレベータの利便性を飛躍的に向上させることができるエレベータシステムを提供することを目的としている。
【０００８】
また、請求項４では、利用者に煩雑な操作を行わせることなく、かつ複数の接触式磁気カードを持ち歩かせることなく、１枚のＩＣカード、あるいは利用者の身体的な特徴を用いて、利用者を識別し、予め登録されている利用者にのみエレベータの利用を許可することができ、エレベータの利便性を飛躍的に向上させることができるエレベータシステムを提供することを目的としている。
【０００９】
また、請求項５では、利用者に煩雑な操作を行わせることなく、かつ複数の接触式磁気カードを持ち歩かせることなく、呼び登録可能になった時点からの経過時間を知らせて、呼び登録操作を促しながら、予め登録されている利用者に利用可能階を知らせて、この利用者にのみエレベータの利用を許可することができ、エレベータの利便性を飛躍的に向上させることができるエレベータシステムを提供することを目的としている。
【課題を解決するための手段】
【００１０】
上記の目的を達成するために本発明は、請求項１では、各利用者を識別して、特定の利用者に乗りかごを利用するエレベータシステムにおいて、各乗り場、または前記乗りかご内の少なくともいずれかに設けられ、各利用者の特徴を示す情報を取り込んで、認証データを生成する認識部と、この認識部から出力される認証データと予め登録されている各利用者の認証データとを照合して、前記認証データに対応する利用者が予め登録されている利用者の一人であるとき、前記乗りかごの利用を許可する呼び登録可否判定部と、この呼び登録可否判定部によって、前記乗りかごの利用許可が出されているとき、呼び釦の操作内容に応じた呼び登録を行う呼び登録釦制御部とを備えたことを特徴としている。
【００１１】
また、請求項２では、請求項１に記載のエレベータシステムにおいて、前記呼び登録釦制御部は、前記呼び登録可否判定部によって、前記乗りかごの利用許可が出されたときから、一定時間が経過するまでの間に、呼び登録が行われないとき、前記利用者の利用許可をキャンセルすることを特徴としている。
【００１２】
また、請求項３では、請求項１、２のいずれかに記載のエレベータシステムにおいて、前記呼び登録釦制御部は、呼び登録可能な期間中、利用可能な階に対応する各呼び釦を点滅することを特徴としている。
【００１３】
また、請求項４では、請求項１乃至３のいずれかに記載のエレベータシステムにおいて、前記認識部は、非接触式のＩＣカードを用いた認証方式、あるいは人体の特徴を用いたバイオメトリックス認証方式を用いて、各利用者の特徴を示す情報を取り込んで、認証データを生成することを特徴としている。
【００１４】
また、請求項５では、請求項１乃至４のいずれかに記載のエレベータシステムにおいて、前記呼び登録釦制御部は、呼び登録可能な期間中、前記各呼び釦の点滅周期を順次、短くすることを特徴としている。
【発明の効果】
【００１５】
本発明による、請求項１のエレベータシステムでは、利用者に煩雑な操作を行わせることなく、かつ複数の接触式磁気カードを持ち歩かせることなく、予め登録されている利用者にのみエレベータの利用を許可することができ、エレベータの利便性を飛躍的に向上させることができる。
【００１６】
また、請求項２のエレベータシステムでは、利用者に煩雑な操作を行わせることなく、かつ複数の接触式磁気カードを持ち歩かせることなく、利用者以外の者による、エレベータの不正利用を防止しながら、予め登録されている利用者にのみエレベータの利用を許可することができ、エレベータの利便性を飛躍的に向上させることができる。
【００１７】
また、請求項３のエレベータシステムでは、利用者に煩雑な操作を行わせることなく、かつ複数の接触式磁気カードを持ち歩かせることなく、予め登録されている利用者に利用可能階を知らせながら、この利用者にのみエレベータの利用を許可することができ、エレベータの利便性を飛躍的に向上させることができる。
【００１８】
また、請求項４のエレベータシステムでは、利用者に煩雑な操作を行わせることなく、かつ複数の接触式磁気カードを持ち歩かせることなく、１枚のＩＣカード、あるいは利用者の身体的な特徴を用いて、利用者を識別し、予め登録されている利用者にのみエレベータの利用を許可することができ、エレベータの利便性を飛躍的に向上させることができる。
【００１９】
また、請求項５のエレベータシステムでは、利用者に煩雑な操作を行わせることなく、かつ複数の接触式磁気カードを持ち歩かせることなく、呼び登録可能になった時点からの経過時間を知らせて、呼び登録操作を促しながら、予め登録されている利用者に利用可能階を知らせて、この利用者にのみエレベータの利用を許可することができ、エレベータの利便性を飛躍的に向上させることができる。
【発明を実施するための最良の形態】
【００２０】
《第１の実施形態》
＜構成説明＞
図１、図２は本発明によるエレベータシステムの第１の実施形態を示す概略構成図である。
【００２１】
これらの図に示すエレベータシステム１は、建物の各乗り場２に設けられた乗り場ドア３の近傍に配置される乗り場呼び登録装置４と、乗りかご５内に配置される乗りかご内呼び登録装置６と、これら各乗り場呼び登録装置４、乗りかご内呼び登録装置６の入力内容に応じて、利用者を認識する処理、利用可能な階に対応する呼びを登録する処理などを行う認証制御装置７と、認証制御装置７の出力、各乗り場呼び登録装置４の出力、乗りかご内呼び登録装置６の出力に応じて、乗りかご５の昇降制御、停止制御、乗り場ドア３、乗りかごドア８の開閉制御などを行うエレベータ制御装置９とを備えており、利用者の指紋データに基づき、予め登録されている利用者であるかどうかを判定し、この利用者が予め登録されている利用者であるとき、許可されている各目的階を選択可能にして、エレベータの利用を許可し、また予め登録された利用者以外であるとき、一般的な利用者に許可されている各階のみを選択可能にして、エレベータの利用を許可する。
【００２２】
各乗り場呼び登録装置４は、建物の各乗り場２に設けられた乗り場ドア３の近傍に配置されるプレート１５と、プレート１５上に配置され、利用者が指先を付けたとき、指紋を読み取って、指紋データを生成する指紋認識部１０と、プレート１５上に配置され、利用者によって押されたとき、呼び情報を生成する複数の呼び釦１１と、各呼び釦１１内に配置され、駆動電圧が供給されているとき、点灯する複数のランプ１６と、プレート１５上に配置され、乗りかご５の現在位置を表示する複数の乗り場階床表示器１２と、これら指紋認識部１０、各呼び釦１１、各ランプ１６、各乗り場階床表示器１２を制御する制御部１７とを備えている。
【００２３】
そして、エレベータ制御装置９から出力される階床表示指示（乗りかご５の現在位置を示す情報）に基づき、各乗り場階床表示器１２のいずれかを点灯して乗りかご５の現在位置を知らせながら、各呼び釦１１のいずれかが押されたとき、押された呼び釦１１のランプ１６を点灯しながら、呼び情報を生成して、エレベータ制御装置９に供給する。また、利用者が指紋認識部１０に指先を付けたとき、指紋を読み取って、認証制御装置７に指紋データを供給した後、認証制御装置７から点滅指示（利用者に利用を許可したことを示す情報）が供給されたとき、各呼び釦１１内に配置されているランプ１６を点滅する。
【００２４】
また、乗りかご内呼び登録装置６は、乗りかご５内のドア近傍に配置されるプレート２６と、プレート２６上に配置され、利用者が指先を付けたとき、指紋を読み取って、指紋データを生成する指紋認識部１３と、プレート２６上に配置され、利用者によって押されたとき、呼び情報を生成する複数の呼び釦１４と、各呼び釦１４内に配置され、駆動電圧が供給されているとき、点灯する複数のランプ１８と、これら指紋認識部１３、各呼び釦１４、各ランプ１８を制御する制御部１９とを備えている。
【００２５】
そして、利用者が指紋認識部１３に指先を付けることなく、一般的な利用者に許可されている各呼び釦１４のいずれかを押したとき、押された呼び釦１４内にあるランプ１８を点灯するとともに、押された呼び釦１４に対応する呼び情報を生成して、エレベータ制御装置９に供給する。また、利用者が指紋認識部１３に指先を付けたとき、指紋を読み取って、認証制御装置７に指紋データを供給し、また認証制御装置７から利用許可階に対応する点滅指示が供給されたとき、指定された各呼び釦１４内に配置されいてるランプ１８を点滅する。また、点滅している各呼び釦１４のいずれかが押されたとき、残りの各呼び釦１４を消灯して、押された呼び釦１４内にあるランプ１８を点灯するとともに、押された呼び釦１４に対応する呼び情報を生成して、認証制御装置７に供給する。
【００２６】
認証制御装置７は、図３のブロック図に示すように、利用者の登録時にだけ、接続され、各利用者の指紋を読み取って指紋データ（認証データ）を生成し、この指紋データと各利用者に利用することができる利用許可階データとを対にして出力する認証データ登録部２０と、指紋データ登録部２０から各利用者の指紋データ、登録階床番号データが出力されたとき、これらを取り込んで、図４の模式図に示すように、照合データテーブル２１に登録し、各乗り場呼び登録装置４、または乗りかご内呼び登録装置６から指紋データが出力されたとき、照合データテーブル２１を検索して、これらを照合する照合部２２と、照合部２２から出力される照合結果が指紋データの一致を示しているとき、この指紋データと対にされている登録階床番号データを用いて、図５に示すように、釦ランプ点灯テーブル２３に利用許可階を示す“１”をセットし、また照合結果が指紋データの不一致を示しているとき、釦ランプ点灯テーブル２３のセット処理をスキップする呼び登録可否判定部２４と、釦ランプ点灯テーブル２３に利用許可階を示す“１”がセットされているとき、利用許可階に対応する点滅指示を生成して、指紋データを出力した乗り場呼び登録装置４、または乗りかご内呼び登録装置６に供給する処理、乗りかごドア８が開かれてから、一定時間以内に乗りかご内呼び登録装置６の呼び釦１４が押され、呼び情報が出力されたとき、これを取り込んで、エレベータ制御装置９に登録する処理、一定時間以内に乗りかご内呼び登録装置６から呼び情報が出力されないとき、利用許可階に対応する点滅指示をキャンセルして、各呼び釦１４の点滅を停止する処理などを行う呼び登録釦制御部２５とを備えている。
【００２７】
そして、利用者が各乗り場呼び登録装置４の指紋認識部１０、または乗りかご内呼び登録装置６の指紋認証部１３に指先を押し当てて、指紋を読み取らせたとき、この利用者の指紋が予め登録されている利用者の指紋と一致しているかどうかをチェックし、予め登録されている各利用者の指紋のいずれかと一致しているとき、乗り場呼び登録装置４の呼び釦１１、または乗りかご内呼び登録装置６の各呼び釦１４のうち、利用者に許可されている各階に対応する各呼び釦１４を点滅する。この後、エレベータ制御装置９によって、乗りかごドア８が閉じられるまでの間、点滅している各呼び釦１４が押されて、呼び情報が出力されたとき、これを取り込んで、エレベータ制御装置９に登録する。そして、エレベータ制御装置９によって、乗りかごドア８が閉じられたとき、点滅している各呼び釦１４が１つも押されていないとき、点滅している各呼び釦１４を全て消灯する。
【００２８】
また、エレベータ制御装置９は、建物の機械室などに設置された電動機を駆動して、乗りかごを昇降、停止する制御盤などを備えており、乗りかご５の現在位置を示す階床表示指示を生成して、各乗り場呼び登録装置４の各乗り場階床表示器１２のいずれかを点灯し、乗りかご５の現在位置を知らせながら、乗り場呼び登録装置４の各呼び釦１１が押されたとき、乗りかご５が現在いる階と、呼び釦１１が押された階とを比較し、これらが一致していないとき、乗りかご５の運転を開始し、呼び釦１１が押された階に乗りかご５を着床し、乗り場ドア３と、乗りかごドア８とを開く。また、乗りかご内登録装置６から出力される一般的な利用者に許可されている各階の呼び情報、認証制御装置７から出力される、予め登録されている利用者に許可されている各階の呼び情報を取り込んで、登録し、乗り場ドア３と、乗りかごドア８とを開いてから、一定時間が経過したとき、乗り場ドア３と、乗りかごドア８とを閉じて、乗りかご５の運転を開始し、乗りかご５が呼び登録された階（目的階）に着床したとき、この階に対応する呼び釦１４を消灯する。
【００２９】
＜動作説明＞
次に、図１、２に示す各概略構成図、図３に示すブロック図、図４、図５に示す各模式図、図６に示すフローチャートを参照しながら、エレベータシステム１の動作を説明する。
【００３０】
［呼び釦１１による呼び動作］
まず、エレベータ制御装置９によって、乗りかご５の現在位置が検知されて、乗りかご５の現在位置を示す階床表示指示が生成され、これが各乗り場呼び登録装置４に供給されて、各乗り場階床表示器１２のいずれかが点灯して、乗りかご５の現在位置が知らされる。
【００３１】
そして、各乗り場呼び登録装置４の各呼び釦１１が押されて、この呼び釦１１のランプ１６が点灯し、呼び情報が出力されたとき、エレベータ制御装置９によって、乗りかご５が現在いる階と、呼び釦１１が押された階とが比較され、これらが一致していないとき、乗りかご５の運転が開始される。この後、呼び釦１１が押された階に、乗りかご５が着床したとき、エレベータ制御装置９によって、呼び釦１１が消灯するとともに、乗り場ドア３と、乗りかごドア８とが開かれる。
【００３２】
次いで、利用者によって、乗り場呼び登録装置４の指紋認識部１０、乗りかご内呼び登録装置６の指紋認識部１３に指先が当てられることなく、乗りかご内呼び登録装置６に設けられた各呼び釦１４のうち、予め登録されている利用者以外の利用者に許可されている各呼び釦１４のいずれかが押され、操作された呼び釦１４のランプ１８が点灯し、呼び情報が出力されたとき、エレベータ制御装置９によって、これが取り込まれて登録される。
【００３３】
そして、乗り場ドア３と、乗りかごドア８とが開かれてから、一定時間が経過したとき、エレベータ制御装置９によって、乗り場ドア３と、乗りかごドア８とが閉じられるとともに、呼び情報が登録されているかどうかがチェックされ、呼び情報が登録されているとき、呼び情報で指定された目的階と、乗りかご５の現在位置とに応じた運転指令が生成されて、乗りかご５の運転が開始される。
【００３４】
この後、乗りかご５が目的階に着床したとき、エレベータ制御装置９によって、乗り場ドア３、乗りかごドア８とが開かれるとともに、乗りかご内呼び登録装置６の各呼び釦１４のうち、この階に対応する呼び釦１４が消灯する。
【００３５】
［乗り場呼び登録装置４の指紋認識機能を用いた呼び動作］
また、各乗り場呼び登録装置４の指紋認識部１０に利用者の指先が当てられて、乗り場呼び登録装置４から指紋データが出力されたとき、図６のフローチャートに示すように、認証制御装置７によって、照合データテーブル２１が検索されて、乗り場呼び登録装置４から出力された指紋データが予め登録されている各利用者の指紋データのいずれかと一致しているかどうかがチェックされる（ステップＳ１〜Ｓ３）。
【００３６】
そして、乗り場呼び登録装置４から出力された指紋データが各利用者の指紋データのいずれかと一致しているとき（ステップＳ４）、認証制御装置７によって、釦ランプ点灯テーブル２３に利用許可階を示す“１”がセットされるとともに、指紋データを出力した乗り場呼び登録装置４が設置されている階に、乗りかご５が着床しているかどうかがチェックされ、指紋データを出力した乗り場呼び登録装置４が設置されている階に、乗りかご５が着床していないとき、呼び情報が生成されて、エレベータ制御装置９に供給されるとともに、点滅指示が生成され、指紋データを出力した乗り場呼び登録装置４の各呼び釦１１が点滅する。
【００３７】
この後、エレベータ制御装置９によって、指紋データを出力した乗り場呼び登録装置４が設置されている階に、乗りかご５が着床したとき、認証制御装置７によって、点滅指示の生成が停止されて、呼び釦１１の点滅が停止されるとともに、釦ランプ点灯テーブル２３の内容に応じた利用許可階に対応する点滅指示が生成され、乗りかご内呼び登録装置６の各呼び釦１４のうち、利用可能な階に対応する各呼び釦６が点滅する（ステップＳ５）。
【００３８】
そして、利用者が乗りかご５内に乗り込み、この利用者によって、点滅している各呼び釦１４のいずれかが押されて、呼び釦１４のランプ１８が点灯し、残りの各呼び釦１４が消灯するとともに、押された呼び釦１４に対応する呼び情報が出力されたとき、認証制御装置７によって、これが取り込まれて、エレベータ制御装置９に登録される。
【００３９】
そして、乗り場ドア３と、乗りかごドア８とが開かれてから、一定時間が経過し、エレベータ制御装置９によって、乗り場ドア３と、乗りかごドア８とが閉じられたとき（ステップＳ６）、認証制御装置７によって、点滅されていた各呼び釦１４のいずれかが押されて、呼び情報が登録されたかどうかがチェックされ、乗り場ドア３と、乗りかごドア８とが閉じられた時点で、点滅されていた各呼び釦１４のいずれも、押されていないとき、各呼び釦１４の各ランプ１８が消灯する（ステップＳ８）。
【００４０】
また、この動作と並行し、乗り場ドア３と、乗りかごドア８とが閉じられたとき、エレベータ制御装置９によって、呼び情報が登録されているかどうかがチェックされ、呼び情報が登録されているとき、呼び情報で指定された目的階と、乗りかご５の現在位置とに応じた運転指令が生成されて、乗りかご５の運転が開始される（ステップＳ７〜Ｓ１０）。
【００４１】
この後、乗りかご５が目的階に着床したとき（ステップＳ１１）、エレベータ制御装置９によって、乗り場ドア３、乗りかごドア８とが開かれるとともに、乗りかご内呼び登録装置６の各呼び釦１４のうち、この階に対応する呼び釦１４が消灯する（ステップＳ８）。
【００４２】
［乗りかご内呼び登録装置６の指紋認識機能を用いた呼び動作］
また、各乗り場呼び登録装置４の指紋認識部１０に利用者が指先を当てることなく、乗りかご５に乗り込んで、乗りかご内呼び登録装置６の指紋認識部１３に指先を当てて乗りかご内呼び登録装置６から指紋データが出力されたとき、図６のフローチャートに示すように、認証制御装置７によって、照合データテーブル２１が検索されて、乗りかご内呼び登録装置６から出力された指紋データが予め登録されている利用者の指紋データと一致しているかどうかがチェックされる（ステップＳ１〜Ｓ３）。
【００４３】
そして、乗りかご内呼び登録装置６から出力された指紋データが各利用者の指紋データのいずれかと一致しているとき（ステップＳ４）、認証制御装置７によって、釦ランプ点灯テーブル２３に利用許可階を示す“１”がセットされるとともに、釦ランプ点灯テーブル２３の内容に応じた利用許可階に対応する点滅指示が生成され、乗りかご内呼び登録装置６の各呼び釦１４のうち、利用可能な階に対応する各呼び釦６が点滅する（ステップＳ５）。
【００４４】
次いで、この利用者によって、点滅している各呼び釦１４のいずれかが押されて、呼び釦１４のランプ１８が点灯し、残りの各呼び釦１４が消灯するとともに、押された呼び釦１４に対応する呼び情報が出力されたとき、認証制御装置７によって、これが取り込まれて、エレベータ制御装置９に登録される。
【００４５】
そして、乗り場ドア３と、乗りかごドア８とが開かれてから、一定時間が経過し、エレベータ制御装置９によって、乗り場ドア３と、乗りかごドア８とが閉じられたとき（ステップＳ６）、認証制御装置７によって、点滅されていた各呼び釦１４のいずれかが押されて、呼び情報が登録されたかどうかがチェックされ、乗り場ドア３と、乗りかごドア８とが閉じられた時点で、点滅されていた各呼び釦１４のいずれも、押されていないとき、各呼び釦１４の各ランプ１８が消灯する（ステップＳ８）。
【００４６】
また、この動作と並行し、乗り場ドア３と、乗りかごドア８とが閉じられたとき、エレベータ制御装置９によって、呼び情報が登録されているかどうかがチェックされ、呼び情報が登録されているとき、呼び情報で指定された目的階と、乗りかご５の現在位置とに応じた運転指令が生成されて、乗りかご５の運転が開始される（ステップＳ７〜Ｓ１０）。
【００４７】
この後、乗りかご５が目的階に着床したとき（ステップＳ１１）、エレベータ制御装置９によって、乗り場ドア３、乗りかごドア８とが開かれるとともに、乗りかご内呼び登録装置６の各呼び釦１４のうち、この階に対応する呼び釦１４が消灯する（ステップＳ８）。
【００４８】
＜効果説明＞
このように、この第１の実施形態では、利用者が各乗り場呼び登録装置４に設けられた指紋認識部１０、乗りかご内呼び登録装置６に設けられた指紋認識部１３に指を押し当てて、指紋データを取り込ませたとき、認証制御装置７によって、この指紋データに対応する利用者が登録されているかどうかをチェックし、予め登録されている利用者の指紋データと一致したとき、この利用者に許可されている各目的階を選択可能にしてエレベータの利用を許可し、また予め登録された利用者以外であるとき、一般的な利用者に許可されている各階を選択可能にして、エレベータの利用を許可するようにしているので、利用者の身体的な特徴を用いて、利用者を識別し、予め登録されている利用者にみ、利用可能階を知らせながら、利用可能階が選択されたとき、エレベータの利用を許可することができ、これによって利用者に煩雑な操作を行わせることなく、かつ複数の接触式磁気カードを持ち歩かせることなく、エレベータを使用して、エレベータの利便性を飛躍的に向上させることができる。
【００４９】
また、この第１の実施形態では、乗りかご内呼び登録装置６の各呼び釦１４のうち、予め登録されている利用者に対応する各呼び釦１４を点滅している間に、これら各呼び釦１４のいずれも、押されないとき、乗りかご５内に利用者が乗り込んでいないと判断して、この利用者に許可した利用階に対する呼び登録処理を中止するようにしているので、利用者以外の者による、エレベータの不正利用を防止することができる。
【００５０】
《第２の実施形態》
＜構成説明＞
次に、本発明の第２の実施形態を説明する。なお、基本的なシステム構成は図１と同じであるため、図１を援用して説明する。
【００５１】
第２の実施形態における認証制御装置７は、利用者に呼び登録を行わせるとき、時間の経過に伴い、各呼び釦１４の点滅間隔を順次、早くし、各呼び釦１４を見ただけで、呼び登録可能な期間が分かるようにしたことである。
【００５２】
この場合、認証制御装置７は、図７のブロック図に示すように、利用者の登録時にのみ、接続され、各利用者の指紋を読み取って指紋データ（認証データ）を生成して、この指紋データと各利用者に利用することができる利用許可階データとを対にして出力する認証データ登録部２０と、指紋データ登録部２０から各利用者の指紋データ、登録階床番号データが出力されたとき、これらを取り込んで、照合データテーブルに登録し、各乗り場呼び登録装置４、または乗りかご内呼び登録装置６から指紋データが出力されたとき、照合データテーブルを検索して、これらを照合する照合部２２と、照合部２２から出力される照合結果が指紋データの一致を示しているとき、この指紋データと対にされている登録階床番号データを用いて、釦ランプ点灯テーブルに利用許可階をセットし、また照合結果が指紋データの不一致を示しているとき、釦ランプ点灯テーブルのセット処理をスキップする呼び登録可否判定部２４と、乗りかごドア８が開かれたとき、計時動作を開始し、予め設定されている時間が経過する毎に、ランプ点滅間隔値を短くする時間加算部３１と、釦ランプ点灯テーブルに利用許可階がセットされているとき、利用許可階に対応する点滅指示を生成して、指紋データを出力した乗り場呼び登録装置４、または乗りかご内呼び登録装置６に供給する処理、時間加算部３１で決定されたランプ点滅間隔値に基づき、乗りかご内呼び登録装置６の各呼び釦１４の点滅間隔を順次、短くする処理、一定時間以内に点滅している各呼び釦１４のいずかが押され、呼び情報が出力されたとき、これを取り込んで、エレベータ制御装置９に登録する処理などを行う呼び登録釦制御部３２とを備えている。
【００５３】
＜動作説明＞
そして、利用者によって、乗り場呼び登録装置４の指紋認識部１０、または乗りかご内呼び登録装置６の指紋認識部１３のいずれか、例えば乗りかご内呼び登録装置６の指紋認識部１３に指先が当てられ、乗りかご内呼び登録装置６から指紋データが出力されたとき、図８のフローチャートに示すように、認証制御装置３２によって、照合データテーブルが検索されて、乗りかご内呼び登録装置６から出力された指紋データが予め登録されている利用者の指紋データと一致しているかどうかがチェックされる（ステップＳ２１〜Ｓ２３）。
【００５４】
そして、乗りかご内呼び登録装置６から出力された指紋データが各利用者の指紋データのいずれかと一致しているとき（ステップＳ２４）、認証制御装置３２によって、釦ランプ点灯テーブルに利用許可階を示す“１”がセットされるとともに、釦ランプ点灯テーブルの内容に応じた利用許可階に対応する点滅指示が生成され、乗りかご内呼び登録装置６の各呼び釦１４のうち、利用可能な階に対応する各呼び釦１４が点滅する（ステップＳ２５）。
【００５５】
この後、乗り場ドア３と、乗りかごドア８とが開かれた状態で（ステップＳ２５ｂ）、予め設定された経過時間“１”、“２”が経過する毎に、認証制御装置３２によって、利用可能な階に対応する各呼び釦１４の点滅周期が短くされ、利用者に対し、呼び釦１４の操作が促される（ステップＳ２６〜Ｓ３１）。
【００５６】
そして、予め設定された経過時間“３”が経過するまでの間、利用者によって、点滅している各呼び釦１４のいずれかが押されて、押された呼び釦１４のランプ１８が点灯するとともに、残りの呼び釦１４のランプ１８が消灯し、押された呼び釦１４に対応する呼び情報が出力されたとき、認証制御装置３２によって、これが取り込まれて、エレベータ制御装置９に登録される。
【００５７】
そして、乗り場ドア３と、乗りかごドア８とが開かれてから予め設定された経過時間“３”が経過したとき（ステップＳ３０）、認証制御装置３２によって、点滅されていた各呼び釦１４のいずれかが押されて、呼び情報が登録されたかどうかがチェックされ、乗り場ドア３と、乗りかごドア８とが開かれた状態で、点滅されていた各呼び釦１４のいずれも押されていないとき、各呼び釦１４の各ランプ１８が消灯する（ステップＳ３１ｂ、Ｓ３２）。
【００５８】
また、この動作と並行し、乗り場ドア３と、乗りかごドア８とが閉じられたとき、エレベータ制御装置９によって、呼び情報が登録されているかどうかがチェックされ、呼び情報が登録されているとき、呼び情報で指定された目的階と、乗りかご５の現在位置とに応じた運転指令が生成されて、乗りかご５の運転が開始される（ステップＳ２７〜Ｓ３５）。
【００５９】
この後、乗りかご５が目的階に着床したとき（ステップＳ３６）、エレベータ制御装置９によって、乗り場ドア３、乗りかごドア８とが開かれるとともに、乗りかご内呼び登録装置６の各呼び釦１４のうち、この階に対応する呼び釦１４が消灯する（ステップＳ３２）。
【００６０】
＜効果説明＞
このように、この実施形態では、利用者が各乗り場呼び登録装置４に設けられた指紋認識部１０、乗りかご内呼び登録装置６に設けられた指紋認識部１３に指を押し当てて、指紋データを取り込ませたとき、認証制御装置３２によって、この指紋データに対応する利用者が登録されているかどうかをチェックし、予め登録されている利用者の指紋データと一致したとき、各呼び釦１４などを点滅して、この利用者に許可されている利用許可階を知らせるとともに、点滅時間を順次、短くして、利用者に経過時間を知らせ、呼び登録操作を促しながら、点滅している各呼び釦１４のいずれかが押されたとき、呼びを登録して、利用者を目的階まで運ぶようにしているので、利用者に煩雑な操作を行わせることなく、かつ複数の接触式磁気カードを持ち歩かせることなく、呼び登録可能になった時点からの経過時間を知らせて、呼び登録操作を促しながら、予め登録されている利用者に利用可能階を知らせて、この利用者にのみエレベータの利用を許可することができ、エレベータの利便性を飛躍的に向上させることができる。
【００６１】
《他の実施形態》
また、上述した第１の実施形態、第２の実施形態では、指紋認識部１０、１３を使用した指紋認証で、利用者を識別するようにしているが、他の認証方法、例えば１枚の非接触式ＩＣカードを用いた認証方式などを使用しても、また他のバイオメトリック認証方法、例えば利用者の目にある虹彩を使用した認証方法、利用者の顔を識別する認証方法などを使用しても、上述した第１の実施形態、第２の実施形態と同様に、利用者を識別し、予め登録されている利用者にみ、エレベータの利用を許可することができ、これによって利用者に煩雑な操作を行わせることなく、かつ複数の接触式磁気カードを持ち歩かせることなく、エレベータを使用して、エレベータの利便性を飛躍的に向上させることができる。
【図面の簡単な説明】
【００６２】
【図１】本発明によるエレベータシステムの第１の実施形態を示す乗り場側の概略構成図である。
【図２】本発明の実施形態を示す乗りかご側の概略構成図である。
【図３】第１の実施形態における認証制御装置の詳細な構成例を示すブロック図である。
【図４】第１の実施形態における認証制御装置で使用される照合データテーブルの一例を示す模式図である。
【図５】第１の実施形態における認証制御装置で使用される釦ランプ点灯テーブルの一例を示す模式図である。
【図６】第１の実施形態におけるエレベータシステムの動作例を示すフローチャートである。
【図７】第２の実施形態における認証制御装置の詳細な構成例を示すブロック図である。
【図８】第２の実施形態におけるエレベータシステムの動作例を示すフローチャートである。
【符号の説明】
【００６３】
１：エレベータシステム、２：乗り場、３：乗り場ドア、４：乗り場呼び登録装置、５：乗りかご、６：乗りかご内呼び登録装置、７：認証制御装置、８：乗りかごドア、９：エレベータ制御装置、１０：指紋認識部、１１：呼び釦、１２：乗り場階床表示器、１３：指紋認識部、１４：呼び釦、１５：プレート、１６：ランプ、１７：制御部、１８：ランプ、１９：制御部、２０：認証データ登録部、２１：照合データテーブル、２２：照合部、２３：釦ランプ点灯テーブル、２４：呼び登録可否判定部、２５：呼び登録釦制御部、２６：プレート、３１：時間加算部、３２：呼び登録釦制御部。
【図１】
2006016124.tif 000003
【図２】
2006016124.tif 000004
【図３】
2006016124.tif 000005
【図４】
2006016124.tif 000006
【図５】
2006016124.tif 000007
【図６】
2006016124.tif 000008
【図７】
2006016124.tif 000009
【図８】
2006016124.tif 000010